(57)【特許請求の範囲】
【請求項１】
内部を通して引抜かれる毛髪の遠位端をトリミングするための毛髪トリミング装置であって、
ヘッド部分及び前記ヘッド部分から延在するハンドル部分を有する本体、
前記ヘッド部分の外側表面に入るよう位置決めされた凹所であって、前記凹所は、前記凹所内に開口を有し、前記開口は、前記外側表面を通して前記ヘッド部分内のカット用キャビティに連通する、凹所、
位置決め部材であって、前記外側表面と前記位置決め部材との間にギャップがある状態の開口位置を有し、それにより、毛髪ストランドは、前記位置決め部材と前記外側表面との間に位置決め可能となり、前記位置決め部材は、前記位置決め部材の中央部分が前記凹所内に嵌入する状態の使用時位置を有し、前記使用時位置にある前記位置決め部材は、前記毛髪ストランド用の蛇行通路を形成し、前記蛇行通路は、前記外側と前記位置決め部材との間で挟持式位置決め状態で前記毛髪ストランドを設置する、位置決め部材、
前記開口の２つの対向する縁の中間で前記カット用キャビティ内に位置決めされた可撓性パドルであって、少なくとも１つの非切断性のプライアブル遠位縁を有する可撓性パドル、
前記開口の前記２つの対向する縁の少なくとも一方の縁に隣接して位置付けられた毛髪カット用コンポーネント、および
ギア付きカムシステムによって前記可撓性パドルと前記毛髪カット用コンポーネントの両方を駆動するためのモータシャフトを有する１つの電気モータとを備え、
前記蛇行通路を通って引抜かれ、前記開口を通して前記カット用キャビティ内に一時的に突出する前記毛髪ストランドの遠位端は、前記カット用コンポーネントに向かう方向に回転する前記可撓性パドルの前記プライアブル遠位縁によって前記カット用コンポーネントに押込まれ、それにより、前記毛髪ストランドから前記遠位端を切離すことをもたらす、毛髪トリミング装置。
【請求項２】
前記開口の前記２つの対向する縁の両方の縁に隣接して位置付けられた前記毛髪カット用コンポーネントと、
セレクタであって、前記パドルの回転方向を選択して、前記開口の前記２つの対向する縁の両方の縁に隣接して位置付けられた前記毛髪カット用コンポーネントの一方又は他方の毛髪カット用コンポーネントに向かって前記遠位端を押すように位置決め可能である、セレクタとを、更に備え、
ユーザは、前記パドルが一方の毛髪カット用コンポーネントに向かって第１の方向に回転する状態で、前記ヘッドの第１の側で毛髪トリミング装置を使用することができ、前記ヘッドの前記第１の側から対向する側で毛髪トリミング装置を使用するとき、前記パドルの回転を反転させるため前記セレクタを使用することができる、請求項１に記載の内部を通して引抜かれる毛髪の遠位端をトリミングするための毛髪トリミング装置。
【請求項３】
前記可撓性パドルの対向する側に２つのプライアブル遠位縁を有する、請求項１に記載の内部を通して引抜かれる毛髪の遠位端をトリミングするための毛髪トリミング装置。
【請求項４】
前記可撓性パドルの対向する側に２つのプライアブル遠位縁を有する、請求項２に記載の内部を通して引抜かれる毛髪の遠位端をトリミングするための毛髪トリミング装置。
【請求項５】
前記ヘッド部分の前記表側及び前記位置決め部材の一方又は両方から離れて延在する突出部を更に備え、
前記突出部は、前記毛髪ストランド用の前記蛇行通路を複数の個々の前記蛇行通路に分割する、請求項１に記載の内部を通して引抜かれる毛髪の遠位端をトリミングするための毛髪トリミング装置。
【請求項６】
前記ヘッド部分の前記表側及び前記位置決め部材の一方又は両方から離れて延在する突出部を更に備え、  前記突出部は、前記毛髪ストランド用の前記蛇行通路を複数の個々の前記蛇行通路に分割する、請求項２に記載の内部を通して引抜かれる毛髪の遠位端をトリミングするための毛髪トリミング装置。
【請求項７】
前記ヘッド部分の前記表側及び前記位置決め部材の一方又は両方から離れて延在する突出部を更に備え、
前記突出部は、前記毛髪ストランド用の前記蛇行通路を複数の個々の前記蛇行通路に分割する、請求項３に記載の内部を通して引抜かれる毛髪の遠位端をトリミングするための毛髪トリミング装置。
【請求項８】
前記ヘッド部分の前記表側及び前記位置決め部材の一方又は両方から離れて延在する突出部を更に備え、
前記突出部は、前記毛髪ストランド用の前記蛇行通路を複数の個々の前記蛇行通路に分割する、請求項４に記載の内部を通して引抜かれる毛髪の遠位端をトリミングするための毛髪トリミング装置。
【請求項９】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項１に記載の内部を通して引抜かれる毛髪の遠位端をトリミングするための毛髪トリミング装置。
【請求項１０】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項２に記載の内部を通して引抜かれる毛髪の遠位端をトリミングするための毛髪トリミング装置。
【請求項１１】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項３に記載の内部を通して引抜かれる毛髪の遠位端をトリミングするための毛髪トリミング装置。
【請求項１２】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項１に記載の内部を通して引抜かれる毛髪の遠位端をトリミングするための毛髪トリミング装置。
【請求項１３】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項７に記載の内部を通して引抜かれる毛髪の遠位端をトリミングするための毛髪トリミング装置。
【請求項１４】
前記凹所の対向する側で前記ヘッドに係合可能な相互交換可能なカット用コンポーネントを更に備え、
前記相互交換可能なカット用コンポーネントは、前記ヘッドに係合すると、前記表側と前記位置決め部材との間の前記蛇行通路のギャップの幅を変動させるサイズを有し、
それにより、前記ギャップを増加させる前記カット用コンポーネントの挿入は、前記カット用コンポーネントによって切離される前記遠位端の長さを増加させることになる、請求項８に記載の内部を通して引抜かれる毛髪の遠位端をトリミングするための毛髪トリミング装置。
【請求項１５】
前記位置決め部材内のキャビティ内に位置付けられる液体用のリザーバと、
前記リザーバと前記位置決め部材の外部表面との間で連通するアパーチャとを更に備え、それにより、前記リザーバ内の液体は、前記毛髪ストランドが前記蛇行通路を通って引抜かれるときに前記毛髪ストランドに連通される、請求項１に記載の内部を通して引抜かれる毛髪の遠位端をトリミングするための毛髪トリミング装置。
【請求項１６】
前記位置決め部材内のキャビティ内に位置付けられる液体用のリザーバと、
前記リザーバと前記位置決め部材の外部表面との間で連通するアパーチャとを更に備え、それにより、前記リザーバ内の液体は、前記毛髪ストランドが前記蛇行通路を通って引抜かれるときに前記毛髪ストランドに連通される、請求項２に記載の内部を通して引抜かれる毛髪の遠位端をトリミングするための毛髪トリミング装置。
【請求項１７】
前記位置決め部材内のキャビティ内に位置付けられる液体用のリザーバと、
前記リザーバと前記位置決め部材の外部表面との間で連通するアパーチャとを更に備え、それにより、前記リザーバ内の液体は、前記毛髪ストランドが前記蛇行通路を通って引抜かれるときに前記毛髪ストランドに連通される、請求項１４に記載の内部を通して引抜かれる毛髪の遠位端をトリミングするための毛髪トリミング装置。
【発明の詳細な説明】
【技術分野】
【０００１】
本出願は、２０１４年２月７日に出願された仮特許出願第６１／９３７２９８号の利益を請求する非仮特許出願である。本発明は、毛幹のトリミングのための改良型デバイスに関する。より詳細には、本発明は、個々の毛幹の遠位端から調整可能な長さをトリミングし、両手による使用を可能にすることになるデバイスに関する。デバイスは、隣接するより長い健康な毛幹を無傷のままにしながら、毛包から、損傷した毛髪の遠位部分のトリミングを可能にする。任意選択で、本発明は、本発明を通して引抜かれる毛包にコンディショナ又は他の毛髪製品を与える、又は、毛幹を加熱し真っ直ぐにするように構成される可能性がある。
【背景技術】
【０００２】
変化していくスタイル及び人の頭部の毛髪が成長しカットを必要とすることになるという不可避性のために、ヘアスタイリスト及び理容師を訪問することは、米国でまた世界中でよくあることである。ヘアスタイリスト及び理容師は、はさみ及び電気バリカン等の電動式でかつ手持ち式の器具を使用して、彼らのクライアントの指向に合わせて毛髪をカットする技術において訓練されている。
【０００３】
時として、人は、新しいヘアスタイルを所望するが、よりしばしば、人は、自分の現在のヘアスタイルに関して満足しており、毛幹の端から一定量のカットを必要とするだけである。しかし、人の頭部の毛髪が、トリミングを必要とする個人についての訓練を受けたスタイリストによってカットされるか、素人によってカットされるかという１つの苛立たしい問題が起こる。これは、損傷した毛髪の枝別れした端及び遠位端だけが除去されるのを所望されるときに起こる。
【０００４】
枝別れした端及び損傷した遠位毛髪部分は、毛髪を梳きブラシをかけること、日光暴露、毛髪染め、ブロー乾燥、及び毛髪を手入れする他の動作の不断でかつ連続する結果である。枝別れした毛髪端及び損傷した毛髪端は、毛包の残りの部分が完全な状態にある場合でも、毛髪が不健康に見えるようにさせる可能性がある外見を有する。
【０００５】
毛幹の残りの部分から、枝別れした端及び損傷した毛髪端をトリミングする１つの好ましい現行の方法は、時間がかかるプロセスを必要とする。毛髪は、手か、櫛か、又はその組合せを使用して比較的ピンと張って伸長されなければならない。そのように位置決めされると、スタイリストは、繊細なトリミング操作において個々の毛包の遠位端部分だけを刈るよう最大限注意を払わなければならない。誤ったカットは、不快なマーク、不均等なカットをもたらすことになり、その手順は、特に手入れされる人が非常に長い毛髪を有する場合、健康な隣接する毛幹の中央部分を意図せずにカットし、望ましくない結果をもたらすという可能性を伴う。
【０００６】
枝別れした端及び損傷した毛髪端は、女性及び男性がしているスタイルが毛髪が肩まで届きかつ長い場合に特に苛立たしい問題である。頭皮から肩又はそれより下までに関係する何千という毛髪ストランドの長さが変動するため、隣接する長いストランドの中央部分を意図せずにカットすることがない状態で、毛髪の遠位端だけ非常にわずかな比較的均等な量だけトリミングしようとすることは特に時間がかかる。このプロセスは、毛髪カットのスタイルが、長さを通してテーパ付けされ、短い端だけがテーパ付けスタイルを維持するためにカットすることを必要とするときに、より難しくされる。
【０００７】
この手間のかかるプロセスのせいで、人の長い毛髪に関して枝別れした端をトリミングしようとする専門的なヘアスタイリストによって何時間も費やされる可能性がある。更に、プロセスの性質が繊細であるため、長い毛髪を有する人が、自分自身の枝別れした端及び損傷した毛髪端をトリミングすることは事実上不可能である。こうしたことは、鏡とはさみを使用して自分の頭部の背後の毛髪の枝別れした端をカットすることを必要とすることになり、明らかに危険を伴う仕事である。より短い毛幹上の、遠位の枝別れした端又は損傷した毛髪端に隣接して存在する毛髪の一部の長いストランドをカットすることによって、人は評価を下げ、ヘアスタイルがだめにされる可能性がある。
【０００８】
素人によっても専門的なヘアスタイリストによっても使用される毛髪をトリミングするための幾つかのデバイスが何年にもわたって開発されてきた。こうしたデバイスは、素人が専門家のように見えるスタイルに毛髪をカットすることを可能にするよう試みる、又は、専門的なスタイリストの能力を、スタイリストの職業のための別のツールをスタイリストに与えることによって高めるよう試みる。これらのデバイスの多くは、毛髪をカットし毛髪をスタイリングするという問題に対処するが、ほんの少数のデバイスが、毛幹の遠位端上の枝別れした端又は損傷した毛髪端の継続する問題に対処する。ほんの少数のデバイスは、健康でない遠位端の所定の短い長さだけを除去するための容易でかつ信頼できる手段を提供する。
【０００９】
枝別れした端の問題に加えて、例えば肩の下まで延在する非常に長い毛髪に関して、端が枝別れしていなくても、全ての毛髪は同じレートで成長せず、より古い毛髪の経年変化した遠位毛幹端は、ちぢれ毛及び魅力的でない毛髪端を取除いて頭部の毛髪を美化することに対する化粧用補助として除去されることが多い。
【００１０】
個人のヘアスタイルをだめにすることなく、又は、スタイリングにおいて大きな変化をもたらすことなく、こうした損傷した又は魅力的でない毛幹セクションを除去することは、毛幹の遠位端の短いピースだけが除去されることを必要とする。これは、より長い隣接する健康な正常に見える毛幹を乱すことなく達成されなければならない。枝別れした端の除去の場合と同様に、この仕事は、個人の頭部の何千もの毛髪に関して、不可能な仕事ではない場合、非常に手間のかかる仕事である可能性がある。
【００１１】
例えば、特許文献１は、使用中であるときに毛髪の広いスワスをカットするように配置された回転ブラシ、櫛、及びかみそりの刃の組合せを教示する。Ｓｍｉｔｈは、デバイスを使用する個人による多くの調整を必要とし、回転ブラシの円周によって決定される毛髪の長いセクションをカットすることを意図される。
【００１２】
Ｓｍｉｔｈのデバイスは、その配置構成のせいで、枝別れした端及び不健康な又は魅力的でない毛髪端をトリミングするために、毛幹の遠位端から短い長さの毛髪だけを、必要に応じて比較的均等な量だけカットするように構成されない可能性がある。更に、ブラシを回転させるためブラシが手で毛髪を通して引抜かれなければならないため、ユーザには、毛髪がブラシを取囲みもつれさせるという、又は、毛髪を通してデバイスを横に引張り、隣接する毛髪の広いスワスを意図せずにカットするという不断のリスクがある。しばしば、これらのかみそりの刃カッターは、毛髪を除去するためせん断動作を使用するのではなく、カットする毛髪を引張る。この引張りは、毛髪カットを受ける個人にとって多大な不快を生じる場合がある。
【００１３】
特許文献２は、毛髪をトリミングするためのガイドを教示し、それにより、ユーザは、毛髪のカットをネックラインからこめかみまでテーパ付け又はフェザリングする可能性がある。しかし、このデバイスは、一方の手でガイドを、また、他方の手で電気バリカンを保持することを必要とする。こうした配置構成は、個人の自身の毛髪をカットするときの個人による使用を排除し、また、デバイスがその上で使用される毛髪をカットするため、スタイリスト及び第２の人の不断の注意及び技量を必要とする。ユーザが、こうして自分自身の頭部の背後の毛髪をカットすることは事実上不可能であることになる。Ｑｕｅｅｎは、それ自身の教示によって、枝別れした端を単に除去するのではなく、毛髪カットをテーパ付けしフェザリングすることに対処する。更に、隣接する長いストランドがこのデバイスよって触れられないままの状態で、個人の毛髪ストランドの遠位端から実質的に均等な部分だけをカットすることは、多大な努力及び時間がなければ事実上不可能であることになる。
【００１４】
特許文献３は、櫛に似たガイド上の回転可能な刃を使用する毛髪トリミングデバイスを教示する。しかし、このデバイスは、枝別れした端ではなく前髪をカットするように設計され、教示されるように、このデバイスはデバイスを使用するために両手を必要とするため、デバイスを誘導する別の個人の補助なしでは、頭部の背後でこのデバイスを誰もが使用できる可能性がない。やはり、毛髪の遠位端から実質的に均等な量をトリミングすることは、極端に時間がかかり、また、それが達成される場合、相当な器用さを必要とすることになる。
【００１５】
特許文献４は、当技術分野における大躍進であり、また、毛髪ストランドの遠位端だけをカットするという難しい仕事を達成し、訓練を積んだヘアスタイリスト又は素人によって使用される可能性があるユニークなデバイスを教示する。Ｔａｌａｖｅｒａのデバイスは、同様に、１人の個人によって使用されて、その個人の自身の毛髪の端をトリミングできる。当技術分野における大躍進であるが、Ｔａｌａｖｅｒａのデバイスは、容易なカット長調整を欠き、カット用の金属回転刃を使用し、金属回転刃は、鈍い可能性があり、また、毛髪ストランドが刃に巻付きカットされることになるという懸念、又は、刃が、その回転軸からずれ、毛髪ストランドの中央部分を意図せずにカットすることになるという懸念をもたらす場合がある。
【先行技術文献】
【特許文献】
【００１６】
【特許文献１】米国特許第５，５１９，９３９号
【特許文献２】米国特許第３，１１５，１４３号
【特許文献３】米国特許第５，２１３，１１６号
【特許文献４】米国特許第７，０４０，０２１号
【発明の概要】
【発明が解決しようとする課題】
【００１７】
したがって、毛髪スタイリングの分野において使用されるデバイスの改良について継続しかついまだ対処されていない必要性が存在する。特に、枝別れした端をカットし、毛幹の遠位端から所定のセクション長をトリミングすることが必要とされる。こうしたデバイスは、毛髪ストランドをカットするために使用される回転金属又は他の回転コンポーネントを削除することによって、使用中に駆動されるデバイスの安全性を改善するよう努力するべきである。こうしたデバイスは、毛髪遠位端から除去される毛髪ストランドの長さの調整を可能にする構造を有するべきである。使用を容易にするため、こうしたデバイスは、ユーザのいずれかの手によってまた２つの引張り方向において保持されて使用可能であるべきである。こうしたデバイスは、同様に、隣接する健康な毛幹に対するカットの危険を最小にしながら、毛髪端を容易に取除くため訓練を積んだスタイリストによってもユーザよっても使用するのが容易であるべきである。
【課題を解決するための手段】
【００１８】
本明細書で開示され述べられるデバイス及び方法は、ユーザ構成可能でコンポーネント相互交換可能な毛髪メンテナンスツールによって先に述べた目標を達成し、そのツールは、毛幹の遠位端であって、枝別れしてしまうか、或はそうでなければ、外見が魅力的でないか又は不健康になってしまう場合がある、毛幹の遠位端から実質的に均等な部分を安全に除去する安全でかつ迅速なデバイスをユーザに可能にする。デバイスは、主デバイスと取外し可能な係合状態で付加又は置換できる種々のコンポーネントと共にキットとして提供可能であって、毛髪ストランドから毛髪の被トリミング部分の長さを調整する。別の構成において、デバイスが使用されて、同様に、毛髪を乾燥させるか又は加熱式係合コンポーネントの使用を可能にし、それにより、所望される場合、毛髪の或る部分を真っ直ぐにするか又はカールできる。
【００１９】
枝別れした端又は損傷した毛髪端カット用操作は、カット用キャビティの両側の振動性カット用組立体を使用して新規な方法で達成され、それにより、毛包を鈍らせ毛包に巻付く可能性がある回転刃を削除する。毛包がその中に押込まれなければならないカット用キャビティの両側のカット用組立体の配置構成は、毛髪の遠位端の一部分だけの安全な除去を可能にする。更に、この構成によって使用可能にされるプロセスは、より長い毛髪長の幹の隣接する中央部分を未カットのままにし、ついには、これらのストランドが蛇行通路を通って連通されて、これらのストランドの遠位端を、可撓性回転部材によってカット用組立体内に付勢するためのカット用チャンバ内に連通させる。
【００２０】
開示されるトリミングデバイスの操作に組込まれる幾つかのコンポーネントは、その操作を向上又は改善するのに役立つ。こうしたものは、可撓性端を有する回転毛髪パドルの実装を含み、可撓性端は、毛包の遠位端に接触し、毛包の遠位端を、対向するクリッピング及びトリミング組立体のカット用刃のセット内に付勢するために位置決めされる。
【００２１】
この新規な対向する平行なクリッピング組立体とカット用刃の操作を駆動するのは、ギアリング及びカム組立体であり、ギアリング及びカム組立体は、モータシャフト回転からの力を直線的併進に連通し、それにより、毛髪パドルの回転と、パドルによって毛髪がその中に付勢されるクリッピングメカニズムの併進の両方の操作を可能にする。
【００２２】
デバイスにおいて、電気モータは、一方向オン・オフスイッチによって回転制御されて、毛髪がデバイスの蛇行経路を通って引張られる間、異なる使用配向中に回転を変更できる。毛髪移動用の蛇行経路は、ユーザ操作可能位置決めメカニズムによって形成され、ユーザ操作可能位置決めメカニズムは、個々の通路を通って毛髪を併進させることに制限するためのブラシに似た又はリッジ付き突出部、及び、表側に形成されたキャビティ又は凹所の対向する表面を有する場合がある。毛髪用の通路に対するアクセスは、レバーの操作によって行われ、レバーは、開口し、凹所へ／から位置決めメカニズムを位置付ける。
【００２３】
使用時、形成済みの蛇行通路に沿って摺動する毛髪に係合して、モータは、ユーザ制御式回転方向に回転し、また、モータシャフト軸に垂直に走行する角度付きギアに回転力を同様に加えながら、モータの方向に毛髪パドルコンポーネントを回転させるギアの組合せに回転を連通させる。この垂直ギアは、ディスク、又は、リンケージがクリッピングメカニズムの可動コンポーネントにディスクを接続するオフセンター取付けポイントを有する同様のコンポーネントの中央に固定される。ギアがディスクを回転させるにつれて、ギアは、同様に、リンケージの取付けポイントを、強制的にディスクの中心回転軸の周りで軌道経路に追従させる。
【００２４】
先に述べたリンケージのこの軌道上の移動は、駆動式回転を直線的併進に変換するカム・リンケージ組立体についての基礎を生成する。この変換は、リンケージの一方の取付け済み遠位端が、回転するディスクの中心軸の周りで軌道方式で回転し、一方、直線に制限されたクリッピングメカニズムコンポーネントにリンケージの他の遠位端が取付けられるため、リンケージの他の遠位端が直線経路に制限される結果として起こる。したがって、リンケージの一方の遠位端における軌道上の移動と対向端における直線的制限のこの組合せは、制限された遠位端の振動性直線併進を生成する。
【００２５】
クリッピングメカニズム組立体は、ベースプレート、平行固定刃付き要素、リンケージ部材に取付けられ、固定刃付き要素と相補的である可動刃付き要素、及び、固定刃付き要素及び可動刃付き要素の相補的表面をベースプレートに嵌合させる（ｍａｔｅ）圧縮偏倚を与えるねじりばね等の複数の圧縮コンポーネントを含む。
【００２６】
ねじりばね又は他の偏倚コンポーネントは、ばねの中心を同心に通過するシャフト又は回転軸上に設置され、一方、ばねの遠位端は、刃付き要素を互いに接触状態に維持するのに必要な圧縮を提供する。シャフトは、同様に、ばねが、そのクリッピング義務を果たすときに、可動の刃付き要素と協調して、シャフトの表面に沿って併進又は歪むことを可能にする。
【００２７】
２つの刃付き要素の間の相対的併進は、先に述べた制限されたリンケージ端が可動刃付き要素に取付けられるため、制限されたリンケージ端の直線的併進の結果である。２つの刃付き要素の間のこの相対的併進は、カット用キャビティ内の新規で平行な中心を向く配置構成においてせん断及びカット動作を生成する。
【００２８】
毛幹の偶然のカットの防止は、特に好ましく、毛幹が最初にクリッピングメカニズム内に連通しなければならないことによって与えられる。これは、蛇行経路の中央内に位置決めメカニズムを位置決めすることによって生成される蛇行経路を通って引張られる毛幹の遠位端が位置決めメカニズムとの係合から解除されるときに起こるだけである可能性がある。位置決めメカニズムのこの頂点ポイントにおいて、毛幹は、位置決めメカニズムと隣接する壁との間の挟持式位置決めを失い、毛幹の屈曲のモーメント及び毛幹の屈曲に貯蔵されるポテンシャルエネルギー、並びに、小さなセグメントにおいて真っ直ぐになる毛幹の傾向のために、上方に押されてカット用キャビティに入る。
【００２９】
このカット用キャビティ内に位置きめされると、毛幹は、回転する毛髪パドルの可撓性端と接触するまで未カットのままであることになる。毛髪パドルは、好ましくは、ゴム又はポリマー材料等の可撓性材料で形成されるか又は可撓性材料でコーティングされる表面を含み、その表面は、パドルが毛幹の遠位端と接触することを可能にし、また、パドルが一方向に又は他の方向に刃に向かって回転するにつれて、振動するクリッピングメカニズムの刃内にパドルを押込むか又は強制的に入れる。カット用キャビティの対向する両側での刃組立体内への毛幹遠位端のこの偏倚式接触又は引張りは、適切でかつ正確な長さでの毛幹の切離しをもたらす。
【００３０】
相互交換可能な長さ調整可能な壁を、カット用キャビティに入ることになる毛幹の量を決定するように構成でき、したがって、デバイスが使用中である間に、切離しコンポーネントを通して、入る毛髪端を付勢する可撓性パドルの動作によって切離せる。変動するサイズに作られた対向する壁は、容易に取除き、交換し、再挿入できる相互交換可能なコンポーネントになるよう形成される。
【００３１】
相互交換可能なコンポーネントの壁厚が増加するにつれて、蛇行通路又は内部キャビティの内部通路はサイズが減少する。更に、この内部キャビティが小さくなるにつれて、通路の頂点に近づく毛髪の遠位端は蛇行通路内に長く保持され、頂点に対向する開口を通してカット用キャビティに入る毛幹の遠位端の長さは、比例して減少する。そのため、ほんの少数の毛髪が、各毛幹からトリミングされる。
【００３２】
相互交換可能な長さ決定要素に加えて、他のコンポーネントが、同様に、デバイス内に形成され、又は、取付けられ、交換され、デバイスから取除かれて、他の毛髪メンテナンス関連の仕事を達成できる。こうしたコンポーネントは、毛髪ストレテナ-、ドライヤ、又はカーラとして働く場合があり、そのことが、専門的なヘアスタイリストを訪問する必要性を更に減少させ、ユーザ時間を節約する。
【００３３】
更に、毛髪ストランド用の蛇行通路を形成するため毛髪位置決めメカニズムを提供する細長い部材を、調節用キャビティを持つように構成でき、調節用キャビティは、蛇行通路を通して連通している間に、調節用キャビティにわたって引抜かれる毛幹にヘアコンディショナ又は他の製品を連通させるためのパッド又は流体含浸コンポーネントと係合するように適合される。細長い部材位置決めコンポーネントの表面内のアパーチャは、調節用キャビティ内に保持される流体のリザーバから液体又は蒸気を連通させることになる。
【００３４】
以前に利用可能であったよりも安全でかつ効率的な方法で、隣接する毛髪ストランドの隣接する中央セクションを未カットのままにしながら、毛髪ストランドの遠位端だけから、或る長さの毛髪を精密にカットするように適合された毛髪トリマを提供することが本発明の目的である。
【００３５】
クリッパであって、カット用キャビティに入る毛髪ストランドの遠位端に摩擦接触するプライアブル回転パッド又はパドル端を使用して、毛髪ストランドの遠位端を、隣接しかつ併進するクリッピングメカニズムに押込み、それにより、遠位端だけがカットされ、また、毛髪がどの回転カット用メカニズムにもからまらない可能性があることを保証するクリップを提供することが本デバイスの更なる目的である。
【００３６】
更に、本発明の別の目的は、平行な中心を向く電気シヤーの使用によっていずれかの使用方向又は使用配向において同様に十分にカットできるユニークなクリッピング組立体を設計することである。
【００３７】
本発明の更なる目的は、容易に相互交換可能な要素と共に使用している間に、切離される毛幹の所望の長さをユーザが調整することを可能にすることである。
【００３８】
これらの目的は、その後明らかになる他の目的及び利点と共に、以降でより完全に述べられ特許請求される構造及び操作の詳細の中に存在し、本発明の一部を形成する添付図面に対して参照が行われ、添付図面において、同様の符号は図面全体を通して同様の部品を指す。
【００３９】
上記説明に関して、本明細書で開示する本発明の少なくとも１つの好ましい実施形態を詳細に説明する前に、本発明が、以下の説明の又は図面に示すコンポーネントの構造及び配置構成の詳細に、その適用が限定されないことが理解される。本明細書で述べる本発明は、他の実施形態が可能であり、また、当業者に明らかになる種々の方法で実践され実行されることが可能である。同様に、本明細書で使用される言い回し及び用語が説明のためのものであり、制限的であると見なされるべきでないことが理解される。
【００４０】
したがって、本開示が基づく概念を、開示される本デバイスの幾つかの目的を実行するための他の構造、方法、及びシステムを設計するための基礎として容易に利用できることを当業者は認識するであろう。したがって、特許請求の範囲が、こうした等価な構造を、こうした等価な構造が本発明の精神及び範囲から逸脱しない限り、含むと見なされることが重要である。
【図面の簡単な説明】
【００４１】
【図１】図１は、使用時位置において、デバイスのヘッドの表側の凹所内に位置決めされた位置決めメカニズムを有するデバイスの斜視図である。
【図２】図２は、凹所と位置決めメカニズムの対向表面との間への毛髪ストランドの挿入を可能にするため、位置決めメカニズムが、凹所と位置決めメカニズムの対向表面との間にギャップを形成する開口位置にある状態のデバイスの斜視図である。
【図３】図３は、毛幹の遠位端が開口を通ってカット用キャビティに入る前の、位置決めメカニズムが図１の使用時位置にある状態のデバイスのカット用エリアの端面断面図である。
【図４】図４は、毛幹が、カット用キャビティに入り、柔軟性パドル縁によってカット用コンポーネント内に付勢され、カット用コンポーネントによって切離された後のデバイスのカット用エリアの端面断面図であり、同様にオプションのヘアコンディショナリザーバも示す。
【図５】図５は、外部ハウジングが取除かれた状態のデバイスのカット用エリアの上からの斜視図であり、対向する刃の中間のカット用エリアに入る開口及び開口より広い直径を有するプライアブルパドルを示す。
【図６】図６は、よりよい図を提供するため、外部ハウジング、位置決めメカニズム、及びベースプレートが取除かれた状態のカット用エリアの下からの斜視図であり、毛髪ストランド遠位端をカット用コンポーネント内に付勢するため所定位置にあるパドルを示す。
【図７】図７は、デバイスのカット用メカニズム又はカット用コンポーネントの分解斜視図である。
【図８】図８は、位置決めメカニズムが表側内の形成済み凹所内に嵌入している閉鎖状態すなわち使用時状態にあり、キャビティの側壁を規定する毛髪長調整要素が取外された状態の、デバイスの斜視図である。
【図９】図９は、遠位端が、側壁との接触を解除し、カット用チャンバ内に跳ねて入ることになるときを決定する壁厚に基づく毛髪切離し長を示すデバイスの毛髪長調整要素の端面図である。
【発明を実施するための形態】
【００４２】
ここで、図１〜９の図を参照すると、毛幹１２のトリミング及びスタイリングのために使用されるデバイス１０のモードが存在する。図１において、毛髪トリマデバイス１０の斜視図が示され、毛髪位置決め部材１４を形成する細長い部材は、ハンドル１６を有するカット用ヘッド２４の外側１７に形成された凹所１５（図３）内の使用時位置に操作可能に位置決めされている。この図において、片手操作用ハンドル１６、デバイスのパドル３０をいずれかの方向に回転させる一方向オン・オフスイッチ１８、細長い毛髪位置決め部材１４、位置決め部材１４を凹所１５に入る／出るように操作するよう旋回するレベー２０、並びに相互交換可能なカット用長さコンポーネント２２が示される。
【００４３】
細長いハンドル１６はカット用ヘッド２４から延在する。このハンドル１６は、ゴム、ポリマー材料、又は同様な材料で形成される把持表面２８を含むことができ、把持表面２８は、カット用ヘッド２４内で位置決め部材と凹所１５の壁表面との間の形成された蛇行経路２６を毛幹が通過する間に、把持するのが容易な表面を提供し、デバイス１０のハンドル１６がユーザのグリップから摺動することを防止する。
【００４４】
ハンドル１６又はカット用ヘッド２４の一方には、電力スイッチが位置付けられ、電力スイッチは、好ましくは、一方向オン・オフスイッチ１８であり、一方向オン・オフスイッチ１８は、デバイス１０がどちらの手で保持されているかによって決定されるユーザによる使用方向に応じて、回転毛髪パドル３０を含む内部カット用コンポーネント又は組立体の操作方向を決定する。デバイス１０をヘッド２４の一方の側又は他の側で使用するとき、方向を、ユーザが選択できる単一オフ位置と２つのオン位置との間でスイッチを変更することによって反転できる。
【００４５】
示す毛髪パドル３０は、毛髪ストランド１２又は毛幹から毛幹１２の遠位端３４だけをカットするカット用キャビティ１３の対向する側に位置決めされたカット用コンポーネントと組合せて働く。パドル３０は、キャビティ内に連通する毛髪遠位端３４に接触し、デバイス１０のカット用キャビティ１３の対向する側の対向するカット用コンポーネントの一方に向かってかつ一方を通って毛髪遠位端３４を押すことによって、毛髪遠位端３４を摩擦係合状態で付勢する。パドル３０の回転方向は、スイッチ１８が２つのオン位置のうちのいずれの位置に作動されるかに応じて変化することになり、毛髪遠位端は、パドル３０の回転方向に位置する２つのカット用コンポーネントのそれぞれのカット用コンポーネントに向かって押される。
【００４６】
パドル３０の全て又は前縁側部分３２は、好ましくは、ゴム、ポリマー材料、又は仕事に適合された他の軟質可撓性材料等の可撓性があるプライアブル材料で形成される。こうして、パドル３０の両側の遠位縁を形成する可撓性前縁部分３２が、毛髪ストランドの遠位端をカット用コンポーネントの一方とカット用接触状態になるよう押すと、開口２１を通してカット用キャビティ１３に入り、かつ、カット用コンポーネントの振動性刃に向かいかつ振動性刃と接触状態になるよう押された毛幹１２の遠位端３４だけがカットされる。そのため、蛇行通路に沿って摺動する毛幹の残りの部分の全体は、パドル３０と接触もせず、デバイス１０によってカットもされない。パドル３０が、ゴムか、プラスチックか、又は他のポリマー材料等の軟質材料で形成される、又は、軟質材料で形成される前縁部分３２を有するため、パドル３０は、毛髪ストランドと接触中に、毛髪ストランドをカットしないことになる。
【００４７】
毛幹１２の切離される遠位端３４の長さを、相互交換可能なカット用長さコンポーネント２２の壁厚３６によって決定できる。この相互交換可能なカット用長さコンポーネント２２は、デバイス１０が使用されるときに凹所１５内に位置決めされる細長い位置決め部材１４の表面からの、凹所１５又は蛇行経路２６の内部キャビティの壁表面の距離を変更する。この距離を変更することは、カット用キャビティ１３に入ることを許容される毛幹の遠位端の量に比例的に影響を及ぼす。
【００４８】
図２は、図１と同じ図を示し、毛髪位置決め部材１４を形成する細長い部材は、凹所１５から離間しており、また、位置決め部材１４を形成する細長い部材の表面と、ヘッド２４の外側１７内に嵌入する凹所１５の壁との間に挟持されるよう、毛幹をいつでも挿入できる用意が出来ているのが示される。この位置決め部材１４は、使用中に、レバー２０の解除によって、凹所１５から離間した開口位置に移動し、それにより、ばね等の偏倚コンポーネントは、互いに旋回係合状態にある場合がある操作可能に取付けられたレバー２０と位置決め部材１４の一方又は両方に作用し、それにより、デバイス１０の本体から離れる方向にレバー２０と位置決め部材１４の両方を付勢する。
【００４９】
このレバー２０がユーザによって把持され、デバイス１０の本体のハンドル１６に強制的に近づけられると、把持力は、偏倚コンポーネントの力に打勝ち、位置決め部材１４を形成する細長い部材を、細長い凹所１５内で軸方向に位置決めされ係合位置になるよう付勢する。
【００５０】
同様に、図１及び２には、毛髪対向突出部３８が示され、毛髪対向突出部３８は、位置決め部材１４上に形成され、位置決め部材１４及び／又は外側１７から延在する対向突出部３８によって分割された複数の個々の別個の蛇行通路内の蛇行経路２６内に毛幹を制限するために使用できる。毛幹１２を蛇行経路２６に沿って個々の別個の蛇行通路内に位置決めすることによって、デバイスは、毛幹１２のもつれを防止する。これらの突出部３８と一体化されて、又は、位置決め部材１４に沿って軸方向に、加熱又は乾燥要素（図示しないが、よく知られている）が存在する場合があり、加熱又は乾燥要素は、２つの嵌合表面の間で毛髪を加熱して、毛髪を真っ直ぐにすること等、毛幹１２メンテナンス及びスタイリングに関連する他の仕事を達成することを可能にするためのものである。
【００５１】
同様に、オプションであるが、例えば図４に示すように本明細書のデバイス１０の１つの好ましいモードにおいて使用されるリザーバ２３を、位置決め部材１４を形成する細長い部材のチャネル又はキャビティ内に形成できる。リザーバ２３は、ヘアコンディショナ又は他の製品を供給するための含浸パッド又は他の流体保持コンポーネントを有する可能性があり、ヘアコンディショナ又は他の製品を、毛髪ストランドが図示する蛇行経路を通って横断する間に、毛髪ストランドに連通できる。点線で示すアパーチャ２５は、位置決め部材１４の対向表面が凹所１５の外側表面１７に近接した状態で、位置決め部材１４を形成する細長い部材が凹所１５内に位置決めされる使用時位置決めにおいて、リザーバ２３と、デバイス１０のヘッドの外側１７内に形成された凹所１５に向き凹所１５に嵌入する位置決め部材１４の表面との間を連通させる。図３及び４において、デバイスは、カット用ヘッド２４の内部コンポーネントを示す断面図で示される。ここで、毛幹１２は、外側１７内に形成された凹所１５内の使用時位置に操作可能に位置決め部材１４が位置決めされると形成されるデバイス１０の蛇行経路２６に沿って連通する。図３において、毛幹遠位端３４は、カット用キャビティ１３に連通する開口２１の向かいの、位置決め部材１４上に位置付けられた内部蛇行経路頂点４０にまだ達していない。
【００５２】
外側１７と凹所と位置決め部材１４との間に形成される蛇行経路２６に沿って摺動するとき、毛幹１２は、位置決め部材１４の表面と、相互交換可能なカット用長さコンポーネント２２を使用して形成され調整できる凹所１５の外側表面１７との間に挟持されたままである。それにより、毛幹１２のこの挟持式係合は、遠位端３４が頂点４０に達し、遠位端３４の一部分が開口２１を通り、カット用キャビティ１３内に延在するまで、毛幹１２のいずれの部分も、開口２１を通してカット用キャビティ１３に入ることを防止する。
【００５３】
毛幹１２遠位端を付勢するためパドル３０のプライアブル前縁３２を使用することは、カット用キャビティ１３の一方の側で、しかし、好ましくは、両方の対向する側で任意の振動性の又は他のカット用コンポーネントと共に機能することになり、パドル３０は、遠位端３４をカット用コンポーネント内に押し、毛幹１２から遠位端３４のカットだけをもたらすことになる。そのため、振動性組立体として示す開示されるカット用コンポーネントを別のカット用コンポーネントと置換できることを当業者は認識するであろう。
【００５４】
図示するカット用キャビティ１３内で、好ましいモードにおいて、カット用キャビティの両側に、対向するカット用コンポーネント４３が存在する。示すカット用コンポーネント４３は、上側直線併進刃付き要素４２、下側固定刃付き要素４４、複数のねじりばね４６、及びせん断刃４８を有する。これらのカット用コンポーネント４３は、併進刃付き要素４２がその相補的な固定刃付き要素４４と接触状態のままであるように組立てられる。もちろん、他のカット用コンポーネントが、カット用キャビティの対向する側に位置決めされる場合に使用される可能性があり、こうしたカット用コンポーネントは、パドルがカット用コンポーネント内に付勢する遠位端３４をカットするだけであることになる。
【００５５】
操作時、併進刃付き要素４２は、固定刃付き要素４４と共に直線的に制限されながら振動し、それにより、せん断刃４８を互いに対して強制的に振動させる。せん断刃４８のこの振動動作は、任意の毛幹１２の遠位端３４だけを切離す１つの好ましいカット用コンポーネント４３を提供し、任意の毛幹１２の遠位端３４は、カット用キャビティ３１の対向する側に位置付けられたカット用コンポーネント４３と接触状態になるように付勢され、回転毛髪パドル３０のプライアブル前縁３２によって付勢されなければならない。併進刃付き要素４２は、ねじりばね４６の圧縮偏倚によって固定刃付き要素４４と接触状態のままである。これらのばね４６は、併進刃付き要素４２と一体でシャフト５０に沿って摺動する又は歪む。可撓性パドル３０又は少なくとも可撓性遠位縁を有するパドル３０は、回転中に、カット用コンポーネント４３の表面上で接触し屈曲し摺動できる。
【００５６】
同様に、図３及び４には、相互交換可能なカット用長さコンポーネント２２を取付ける方法が示され、方法が使用されて、毛幹１２からの遠位端カットの長さを変更できる。相互交換可能なカット用長さコンポーネント２２は、デバイス１０に挿入され、示す相補的なチャネル５２等の取付けコンポーネントを使用して嵌合する。これらの相補的に構成されたチャネル５２は、操作可能に位置決めされると、凹所１５の嵌合部分内に嵌合し、開口２１に対向する頂点４０を有する細長い位置決め部材１４の対向する表面を囲むキャビティを形成する。相互交換可能なカット用長さコンポーネント２２の壁厚３６は、凹所１５内にあるときの、位置決め部材１４の表面からの凹所１５の表面の距離を変化させ、カット中に取除かれる毛幹１２の遠位端の量を決定し、また、図９に更に示される。
【００５７】
図５において、カット用ヘッド２４の透明窓５４及び外部ハウジングが観察を容易にするため取除かれた状態のカット用キャビティ１３の斜視図が示される。この斜視図は、図３及び４を参照しながら先に述べたコンポーネントをより明確に示す。先に述べた同じ目的を果たす先に述べたコンポーネントに加えて、併進刃付き要素４２内に形成されたねじりばね収納フィーチャ５６が示される。このフィーチャ５６は、ねじりばね遠位端を併進刃付き要素表面に制限し、併進刃付き要素４２を、固定刃付き要素４４と接触状態でかつ固定刃付き要素４４に直線的に制限して維持するばねの圧縮偏倚を、ねじりばね４６の他の遠位端に示す表面に対向して強化する。図示する表面に対向してねじりばね４６の他の遠位端が存在する。この端は、図示するベースプレート５８の対向する表面と接触状態にあり、併進刃付き要素４２と固定刃付き要素４４との間の圧縮偏倚をばねが維持するために必要な第２の接触ポイントを提供する。
【００５８】
図６は、開示される振動性カット用コンポーネント４３がそれによってデバイス１０内で動作する手段を示す。先に述べたが、パドル３４の可撓性前縁３２のユニークな動作を利用できる別の併進又は振動カット用コンポーネント又は部材が使用されて、カット用キャビティ１３内に突出する毛髪ストランド１２の遠位端３４を、カット用キャビティ１３の一方又は両方の側のカット用コンポーネント４３内に付勢できる。
【００５９】
同様に、図６には、毛髪パドル３０と併進刃付き要素４２の両方を駆動するために使用可能な電気モータ６０が示される。モータ６０は、新規な組合せ式ギア付きカムシステムの実装によってこの離れ業を達成し、新規な組合せギア付きカムシステムは、回転モータシャフト６２、角速度低減ギア６４、２つの４５°角度付きギア６６によって形成される垂直ギア駆動組立体、オフセットリンケージ取付けポイントによって形成されるカム・リンケージ組立体６８、リンケージ７０、及び自由回転継手７６からなる。
【００６０】
モータシャフト６２が回転するにつれて、角速度低減ギア６４は、毛髪パドル３０をモータシャフト６２より遅い角速度で回転させる。この速度の低減は、動作の安全性を改善し、モータ６０がその電力帯域のより効率的な部分内で動作することを可能にする。角速度の低減は、同様に、併進刃付き要素４２が、毛髪パドル３０がギアダウンされず、モータ６０がより低い電力レベルで強制的に動作させられた場合よりずっと高い周波数で振動することを可能にする。
【００６１】
併進刃付き要素４２は、４５°ギア６６の垂直ギア駆動から得られるカム・リンケージ７０移動の結果として直線的に振動する。モータシャフト６２が回転するにつれて、角度付きギア６６は、モータシャフト６２の回転軸に垂直なカム・ディスク７４を回転させる。このカム・ディスク７４は、併進刃付き要素４２及びカム・リンケージ７０を含む平面に平行な平面内に存在する。
【００６２】
カム・ディスク７４上に、オフセンター取付けポイント６８が存在し、オフセンター取付けポイント６８は、オフセンター取付けポイント６８を中心とするリンケージ７０の自由回転を可能にしながら、リンケージ７０をディスク７４に結合する。ディスク７４が回転するにつれて、オフセンター取付けポイント６８は、ディスクの回転軸を周回する。この周回移動が起こっている間、リンケージ７０の他の遠位端は、自由回転継手７６によって併進刃付き要素４２に固定される。したがって、併進刃付き要素４２の直線的に制限された特性のために、併進刃付き要素４２の自由回転継手７６に取付けられるリンケージの遠位端は、同様に、直線的に併進し、したがって、併進刃付き要素４２を、その相補的な固定カウンタパーツ、固定刃付き要素４４に対して強制的に振動させる。これが起こると、ねじりばね４６が、ベースプレート５８、固定刃付き要素４４、及び併進刃付き要素４２に圧縮偏倚を加え、それらを共に保持するため、ねじりばね４６は、ねじりばねが同心に制限されるシャフト５０に沿って併進し歪む。
【００６３】
開示される組立体及び先に述べたカット用コンポーネント４３の動作をよりよく示すため、分解斜視図が図７に示される。この図は、ベースプレート５８と、固定刃付き要素４４と、併進刃付き要素４２とを嵌合する方法をより明確に示す。固定刃付き要素４４は、相補的キーホールスロット要素の実装によって全ての次元で制限される。固定刃付き要素４４が移動することを防止する等しい数の相補的スロット又は凹所８０にぴったり嵌る複数のベースプレート押出し部７８が存在する。
【００６４】
図８は、デバイス１０から取除かれた相互交換可能なカット用長さコンポーネント２２を示すデバイス１０の斜視図でデバイス１０を示す。この図は、キット等で提供される可能性があるこの相互交換可能なカット用長さコンポーネント２２の複数のサイズ及び形態が存在する場合があり、所望される毛幹１２トリミングの比例長さに対応する１つのサイズ及び形態をユーザが使用することを可能にすることを示す。相互交換可能なカット用長さコンポーネント２２は、凹所１５によって形成されるキャビティ内で、操作可能に位置決めされた位置決め部材１４の表面及びその頂点４０から或る距離のところに挿入されて、頂点４０と、位置決め部材１４の表面と、位置決め部材１４を囲む凹所１５の表面との距離を変更する。
【００６５】
この距離変更の効果は、図９により明確に示され、毛幹経路２６が２つの異なるサイズに作られた壁厚３６と共に示される。図示する薄壁付き要素８２は、毛幹１２の遠位端が、挟持式係合から解除され、頂点４０の向かいの開口２１を通ってカット用キャビティ１３内に回転することを可能にし、それにより、カット用キャビティ１３内に突出する毛幹１２の大量の遠位端３４を設置する。一方では、厚壁付き要素８４は逆のことを行う。トリミングされる長さのこの差は、頂点４０を超える（ｏｖｅｒ）毛幹の屈曲によって起こり、屈曲は、凹所１５の壁と接触しなくなる場合、毛幹の遠位端３４が相互交換可能なカット用長さコンポーネントの内部表面８６に達すると、毛幹の遠位端３４を、上方に押してカット用キャビティに強制的に入れる。このトリミング長は、頂点４０と相互交換可能なカット用長さコンポーネントの内部表面８６との間の距離に比例する。
【００６６】
本発明の基本的な特性及び特徴の全てが、本発明の特定の実施形態を参照して本明細書で示され述べられたが、或る許容範囲の修正、種々の変更及び置換が、先の開示において意図され、また、幾つかの事例において、本発明の幾つかの特徴を、述べた本発明の範囲から逸脱することなく他の特徴の対応する使用なしで使用できることが明らかである。種々の置換、修正、及び変形を、本発明の精神及び範囲から逸脱することなく当業者が行えることが同様に理解されるべきである。その結果、全てのこうした修正及び変形及び置換は、添付特許制球の範囲によって規定される本発明の範囲内に含まれる。
【図１】
0006292492.tif 000002
【図２】
0006292492.tif 000003
【図３】
0006292492.tif 000004
【図４】
0006292492.tif 000005
【図５】
0006292492.tif 000006
【図６】
0006292492.tif 000007
【図７】
0006292492.tif 000008
【図８】
0006292492.tif 000009
【図９】
0006292492.tif 000010